(57)【特許請求の範囲】
【請求項１】
受信した映像音声信号を処理する信号処理装置と映像を表示する表示モニタとを分離して構成した映像受信表示システムにおいて、
上記信号処理装置と上記表示モニタは映像音声信号と制御信号を伝送するケーブルで接続し、
上記信号処理装置と上記表示モニタはそれぞれ独自のＯＳＤ（オンスクリーンディスプレイ）画面を生成する第１、第２のＯＳＤ生成部を有し、
リモコンからの操作に対応して、上記第１、第２のＯＳＤ生成部はそれぞれＯＳＤ画面を生成し、上記入力した映像に重畳して上記表示モニタにて表示するように構成されており、
上記表示モニタは、
上記リモコンからの操作信号を受信する受光部と、
該受光部で受けた操作信号を判別し、上記ケーブルを介して上記信号処理装置へコマンドを送信するとともに、上記表示モニタ内の第２のＯＳＤ生成部にＯＳＤ画面を生成することを指示する第２のコマンド処理部を有し、
上記信号処理装置は、
上記表示モニタ内の第２のコマンド処理部からのコマンドを受信し、該コマンドを判別し上記第１のＯＳＤ生成部にＯＳＤ画面の生成を指示する第１のコマンド処理部を有し、
上記表示モニタの第２のコマンド処理部は、上記リモコンからの操作信号が画質変更の場合には、該操作信号に対応したコマンドを上記信号処理装置に送信し、該信号処理装置内の第１のＯＳＤ生成部にて画質選択メニュー画面を生成させ、上記リモコンからの操作信号が音量変更の場合には、上記表示モニタ内の第２のＯＳＤ生成部に音量バー画面を生成するように指示することを特徴とする映像受信表示システム。
【請求項２】
請求項１に記載の映像受信表示システムにおいて、
前記第１のコマンド処理部は前記第２のコマンド処理部へ、前記ケーブルを介して前記第１のＯＳＤ生成部のＯＳＤ表示状態を通知し、
前記第２のコマンド処理部は、通知されたＯＳＤ表示状態が前記第１のＯＳＤ生成部にて生成したＯＳＤ画面を表示中である場合には、前記第２のＯＳＤ生成部によるＯＳＤ画面の生成を中止させることを特徴とする映像受信表示システム。
【請求項３】
請求項１に記載の映像受信表示システムにおいて、
前記第１のコマンド処理部は前記第２のコマンド処理部へ、前記ケーブルを介して前記第１のＯＳＤ生成部のＯＳＤ表示状態を通知し、
前記第２のコマンド処理部は、通知されたＯＳＤ表示状態が前記第１のＯＳＤ生成部にて生成したＯＳＤ画面を表示中である場合には、前記第２のＯＳＤ生成部にて生成したＯＳＤ画面の表示位置を移動し、または生成するＯＳＤ画面の形状を変更して、前記第１のＯＳＤ生成部にて生成したＯＳＤ画面と重複せずに表示させることを特徴とする映像受信表示システム。
【請求項４】
映像音声信号を処理する信号処理装置と映像を表示する表示モニタとを分離して構成した映像受信表示システムに用いる表示モニタであって、
映像を表示する表示パネルと、
上記信号処理装置との間で映像音声信号と制御信号を伝送する送受信部と、
映像に重畳するＯＳＤ画面を生成するＯＳＤ生成部と、
リモコンからの操作信号を受信する受光部と、
該受光部で受けた操作信号を判別し、上記ＯＳＤ生成部にＯＳＤ画面を生成することを指示するとともに、上記信号処理装置へコマンドを送信するコマンド処理部を有し、
該コマンド処理部は、上記リモコンからの操作信号が画質変更の場合には、該操作信号に対応したコマンドを上記信号処理装置に送信し、該信号処理装置にて画質選択メニュー画面を生成させ、上記リモコンからの操作信号が音量変更の場合には、上記ＯＳＤ生成部に音量バー画面を生成させるように指示すること特徴とする表示モニタ。
【発明の詳細な説明】
【技術分野】
【０００１】
本発明は、受信した映像信号を処理する信号処理装置と映像を表示する表示モニタとを分離して構成した映像受信表示システムに関する。
【背景技術】
【０００２】
近年、液晶パネルやプラズマディスプレイレイパネル等を用いた平面型の表示パネル（表示モニタ）と、テレビジョン信号を受信するためのチューナ等を含む信号処理装置（セット・トップ・ボックス、以下ＳＴＢと略す）とを分離して構成したテレビジョン受像機（映像受信表示システム）が製品化されている。このように表示パネルとＳＴＢを分離し別体で構成することは、表示パネルの薄型化を図り、テレビの設置場所の自由度を高めるために有利である。分離型構成では、両者を接続した場合に不具合が生じることなく、互いに協調して動作することが必要である。
【０００３】
例えば特許文献１には、表示デバイスの種類が異なる表示パネルとＳＴＢとを任意に組み合わせることを可能にする表示システムが開示される。同文献では、表示パネルは、表示パネルを構成するデバイスの種類及び／または表示パネルの仕様に関する情報を含む識別情報（ＩＤ情報）をＳＴＢに送信する。ＳＴＢは、表示パネルから送信されたＩＤ情報を受信し、表示パネルのデバイスの種類及び／または表示パネルの仕様を判別し、判別結果に応じてＳＴＢの動作状態を制御することが記載される。
【０００４】
【特許文献１】特開２００５−０８６７２１号公報
【発明の開示】
【発明が解決しようとする課題】
【０００５】
上記特許文献１に記載の表示システムを始め従来の分離型構成のシステムの場合、ＳＴＢ（信号処理装置）と表示パネルとの関係は、ＳＴＢは表示パネルを制御するマスターであり、表示パネルはＳＴＢから制御されるスレーブの関係にある。すなわち、ＳＴＢは表示パネルに対して、表示する映像信号と音声信号をケーブルを通じて供給するとともに、表示に関する制御信号（制御コマンド）をケーブルを通じて送信する。制御信号にはユーザ操作による画質・音量などの各種調整用信号が含まれる。また、ユーザが各種操作する際に必要となるメニュー画面や調整画面は、ＳＴＢのＯＳＤ（オンスクリーンディスプレイ）回路で生成し映像信号に重畳して表示パネルに供給する構成となっている。
【０００６】
一方、ユーザからの操作信号（例えばリモコンからの操作信号）は表示パネル側で受信する場合が多い。その場合、受信した操作信号はケーブルを通じて一旦ＳＴＢへ送られ、ＳＴＢは操作信号に応じて制御コマンドを作成するとともに、必要なＯＳＤ画面を生成して表示パネルへ供給せねばならない。このため、ＳＴＢと表示パネルとの間でコマンド（制御信号）が往復し、処理が完了するまでに余分な時間を要することになる。すなわち、ユーザの操作に対するレスポンスが悪化するという課題が生じる。例えば、音量調整の操作に対して調整画面の表示が遅れ、音量が瞬時に切り替わらないことになり、ユーザに違和感や不快感を与えることになる。
【０００７】
本発明は、このような状況を鑑みてなされたものであり、その目的は、信号処理装置と表示パネル（表示モニタ）とを分離して構成した映像受信表示システムにおいて、ユーザの操作に対するＯＳＤ表示を迅速に行うことにある。
【課題を解決するための手段】
【０００８】
本発明は、受信した映像音声信号を処理する信号処理装置と映像を表示する表示モニタとを分離して構成した映像受信表示システムにおいて、信号処理装置と表示モニタは映像音声信号と制御信号を伝送するケーブルで接続し、信号処理装置と表示モニタはそれぞれ独自のＯＳＤ画面を生成する第１、第２のＯＳＤ生成部を有し、リモコンからの操作に対応して、第１、第２のＯＳＤ生成部はそれぞれＯＳＤ画面を生成し、入力した映像に重畳して表示モニタに表示する。
【０００９】
ここに表示モニタは、リモコンからの操作信号を受信する受光部と、受光部で受けた操作信号を判別し、ケーブルを介して信号処理装置へコマンドを送信するとともに、表示モニタ内の第２のＯＳＤ生成部にＯＳＤ画面を生成することを指示する第２のコマンド処理部を有する。信号処理装置は、表示モニタ内の第２のコマンド処理部からのコマンドを受信し、コマンドを判別し第１のＯＳＤ生成部にＯＳＤ生成を指示する第１のコマンド処理部を有する。第１、第２のコマンド処理部は、それぞれ第１、第２のＯＳＤ生成部に対し、互いに連携してＯＳＤ画面を生成するように指示する。
【００１０】
好ましくは、リモコンからの操作信号が画質変更の場合には、第１のＯＳＤ生成部にて画質選択メニュー画面を表示し、リモコンからの操作信号が音量変更の場合には、第２のＯＳＤ生成部にて音量バー画面を表示する。
【００１１】
また第１のコマンド処理部は第２のコマンド処理部へ、ケーブルを介して第１のＯＳＤ生成部のＯＳＤ表示状態を通知する。第２のコマンド処理部は、通知されたＯＳＤ表示状態が第１のＯＳＤ生成部にて生成したＯＳＤ画面を表示中である場合には、第２のＯＳＤ生成部によるＯＳＤ画面の生成を中止させる。あるいは第２のコマンド処理部は、通知されたＯＳＤ表示状態が第１のＯＳＤ生成部にて生成したＯＳＤ画面を表示中である場合には、第２のＯＳＤ生成部にて生成したＯＳＤ画面の表示位置を移動し、または生成するＯＳＤ画面の形状を変更して、第１のＯＳＤ生成部にて生成したＯＳＤ画面と重複せずに表示させる。
【発明の効果】
【００１２】
本発明によれば、分離型構成の映像受信表示システムにおいて、ユーザの操作に対するレスポンスが改善され、ユーザに違和感や不快感を与えることがない。
【発明を実施するための最良の形態】
【００１３】
以下、本発明の映像受信表示システムの実施の形態を図面を用いて説明する。
図１は、本発明による映像受信表示システムの一実施例の構成を示すブロック図である。本実施例のシステムは、信号処理装置（ＳＴＢ）１と表示モニタ２とを分離して構成したシステムであり、両者はＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）方式のケーブル３を介して接続され、映像信号や制御信号を伝送する。ユーザは、リモコン４から各種の操作指示を行うが、それを受信する受光部２８は表示モニタ２側に備えている。図では、映像のＯＳＤ表示に関連する要素を説明し、他は省略している。
【００１４】
ＳＴＢ１には、受信した映像・音声信号を処理するフロントエンド１１と、ＯＳＤ画面を処理するメインマイコン１２と、操作コマンドを処理するサブマイコン１５とを備える。フロントエンド１１には、アンテナから入力したテレビジョン放送信号を受信するチューナ部を含み、その他コンポジット端子、ＨＤＭＩ端子、ＲＧＢ端子からの入力信号を処理する。メインマイコン１２は、サブマイコン１５からのコマンドを基に該当するＯＳＤを生成するＯＳＤ生成部１４と、フロントエンド１１からの映像にＯＳＤ生成部１４で生成したＯＳＤを重畳するＯＳＤ重畳部１３とを有する。ＯＳＤ重畳部１３でＯＳＤの重畳された映像は、ケーブル３を介して表示モニタ２側へ伝送される。サブマイコン１５は、ケーブル３を介して表示モニタ２側から受けたコマンドを判別しＯＳＤ生成部１４にＯＳＤ生成を指示するコマンド処理部１６を有する。またコマンド処理部１６は、ＳＴＢ１側のＯＳＤ表示状態をケーブル３を介して表示モニタ２側へ通知する。
【００１５】
表示モニタ２には、映像を出力する表示パネル２１と、音声を出力するスピーカ２２と、ＯＳＤ画面を処理するメインマイコン２３と、操作コマンドを処理するサブマイコン２６と、リモコン４からの操作指示信号を受信する受光部２８を備える。表示パネル２１は、液晶パネルやプラズマディスプレイパネル等の薄型表示デバイスを用いる。リモコン４からの操作指示により、表示パネル２１の映像の調整とスピーカ２２の音声の調整を行うが、図では調整部を省略している。メインマイコン２３は、サブマイコン２６からの通知を基に該当するＯＳＤを生成するＯＳＤ生成部２５と、ＳＴＢ１から伝送された映像にＯＳＤ生成部２５で生成したＯＳＤを重畳するＯＳＤ重畳部２４とを有する。ＯＳＤ重畳部２４でＯＳＤの重畳された映像は、表示パネル２１にて表示される。サブマイコン２６は、受光部２８で受けたリモコンからの操作指示（リモコンコード）を判別し、ケーブル３を介してＳＴＢ１側へそのリモコンコードに対応したコマンドを伝送するとともに、表示モニタ２内のＯＳＤ生成部２５に通知するコマンド処理部２７を有する。すなわちコマンド処理部２７は、リモコンコードの内容を判別して、ＳＴＢ１へそのリモコンコードに対応したコマンドを伝送し、表示モニタ２で処理すべきコマンドである場合にはＯＳＤ生成部２５に通知する。その時、ＳＴＢ１側から通知されるＯＳＤ表示状態に基づき、ＳＴＢ１と表示モニタ２の２つのＯＳＤ生成部が連携して動作するよう制御する。
【００１６】
ケーブル３には、ＳＴＢ１と表示モニタ２との間で映像・音声と制御信号とを一体化して伝送するＨＤＭＩケーブルを採用している。すなわち、ＳＴＢ１から表示モニタ２へ供給する映像・音声信号は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ライン３１，３２を介して伝送する。また、ＳＴＢ１と表示モニタ２との間で双方向に通信するコマンド信号は、ＣＥＣ（Ｃｏｎｓｕｍｅｒ  Ｅｌｅｃｔｒｏｎｉｃｓ  Ｃｏｎｔｒｏｌ）ライン３３，３４を介して伝送する。ＣＥＣコマンドを用いることで、リモコンの操作内容やＯＳＤ表示状態を伝送する際、装置メーカ独自のコマンドを利用してよりきめ細かく通知できる。そのためにコマンド処理部２７は、リモコンコードをＣＥＣコマンドに変換してコマンド処理部１６へ伝送する。
【００１７】
このように本実施例の映像受信表示システムでは、信号処理装置（ＳＴＢ）１と表示モニタ２とはそれぞれ独自にＯＳＤ用マイコン（ＯＳＤ生成部・重畳部、コマンド処理部）１２，１５，２３，２６を備えている。これらを接続することで、１台の共通のリモコン４からの操作により、両者のＯＳＤ表示機能を組み合わせて動作させることができる。よって、共通のリモコンで各々の操作および各々のＯＳＤ表示を行うことができるので、使い勝手が向上する。
【００１８】
特に本実施例では、リモコン４からの操作信号を表示モニタ２側で受信し、表示モニタ２側のサブマイコン（コマンド処理部）２６はリモコンコマンドを判別して、双方のＯＳＤ表示機能を制御する。すなわちコマンドの種別によりＯＳＤ表示機能を分担させ、かつ連携させて動作させることに特徴がある。例えばレスポンスの要求される音量調整などに関しては、表示モニタ２側のＯＳＤ表示機能を動作させ、画質調整などに関しては、ＳＴＢ１側のＯＳＤ表示機能を動作させる。表示モニタ２側のＯＳＤ表示機能を動作させることで、ケーブル３を介したＳＴＢ１とのコマンドの往復時間を短縮し、音量調整のＯＳＤ表示を迅速に行うことができる。また、両者のＯＳＤ表示が同時に行われるときには、一方のＯＳＤ表示を中止させて画面に重複して表示されるのを回避する。あるいは、一方のＯＳＤの表示位置を移動させることで、同時に表示しても重複して表示されるのを回避する。このようにして、ユーザの操作に対してレスポンスを改善し、効率の良い表示を行うことができる。
【００１９】
以下、本実施例の映像受信表示システムにおけるＯＳＤ表示の処理フローを、２つの連携動作を例に説明する。
【００２０】
図２は、ＯＳＤ表示の処理フローの第１の例（連携動作１）を示す図である。（ａ）はＳＴＢ側の処理、（ｂ）はモニタ側の処理を示す。本実施例では、ＯＳＤ画面のうち、音量Ｕｐ／Ｄｏｗｎの操作画面をモニタ側で分担し、他の操作画面はＳＴＢ側で分担するものとする。
【００２１】
ＯＳＤ表示処理は、リモコンからの操作指示をモニタ側で受信することで開始するので、先に（ｂ）のモニタ側の処理を説明する。
Ｓ１０１では、モニタ側の受光部２８は、リモコン４からの操作指示（リモコンコード）を受信する。Ｓ１０２では、ＳＴＢ１とモニタ２とがケーブル３で接続されているかを判定する。接続されていれば（Ｓ１０２でＹｅｓ）、Ｓ１０３に進む。もし未接続であれば（Ｓ１０２でＮｏ）、モニタ２は単独でＯＳＤ表示動作を行う。すなわちＳ１０９に進み、コマンド処理部２７はリモコンコードをＯＳＤ生成部２５に通知する。ＯＳＤ生成部２５は該当するＯＳＤを生成し、ＯＳＤ重畳部２４は映像にＯＳＤを重畳し、Ｓ１１０でパネル２１に表示する。
【００２２】
Ｓ１０３では、コマンド処理部２７はリモコンコードをＣＥＣリモコンコマンドに変換する。Ｓ１０４では、変換したＣＥＣリモコンコマンドをケーブル３を介してＳＴＢ１へ送信する。
【００２３】
Ｓ１０５では、受信したリモコンコードがモニタ側で分担表示すべき内容（ここでは、音量Ｕｐ／Ｄｏｗｎの操作）かどうかを判定する。音量Ｕｐ／Ｄｏｗｎの操作であればＳ１０６に進み、ＳＴＢ側からの表示状態通知を調べて、ＳＴＢ側で何らかのＯＳＤを表示しているかどうかを判定する。ＳＴＢ側でＯＳＤを行っていない場合はＳ１０７に進む。リモコンコードが音量Ｕｐ／Ｄｏｗｎの操作以外のものである場合（Ｓ１０５でＮｏ）、およびＳＴＢ側で何らかのＯＳＤを表示している場合（Ｓ１０６でＹｅｓ）には、Ｓ１０８に進み、モニタ側では受信したリモコンコードに対するＯＳＤ表示は行わない。
【００２４】
Ｓ１０７では、コマンド処理部２７はリモコンコードをＯＳＤ生成部２５に通知し、ＯＳＤ生成部２５は音量ＯＳＤを生成し、ＯＳＤ重畳部２４は映像に音量ＯＳＤを重畳する。そして、Ｓ１１０では音量ＯＳＤを重畳した映像をパネル２１に表示する。
【００２５】
次に、（ａ）のＳＴＢ側の処理を説明する。
Ｓ２０１では、ＳＴＢ側のコマンド処理部１６は、モニタ側から送信されたＣＥＣリモコンコマンド（Ｓ１０４）を受信する。Ｓ２０２では、受信したリモコンコマンドがＳＴＢ側で分担表示すべき内容（ここでは、音量Ｕｐ／Ｄｏｗｎ以外の操作）であるかどうかを判定する。音量Ｕｐ／Ｄｏｗｎ以外の操作であればＳ２０３に進む。音量Ｕｐ／Ｄｏｗｎの操作であれば（Ｓ２０２でＮｏ）、Ｓ２０４に進み、ＳＴＢ側では受信したリモコンコマンドに対するＯＳＤ表示は行わない。
【００２６】
Ｓ２０３では、ＯＳＤ生成部１４は該当するＯＳＤを生成し、ＯＳＤ重畳部１３はフロントエンド１１からの映像にＯＳＤを重畳する。Ｓ２０５では、ＳＴＢのＯＳＤ表示状態をケーブル３を介してモニタ側へ通知する。Ｓ２０６では、映像をケーブル３を介してモニタ側へ送信する。
【００２７】
以上のように、リモコンから受けた操作指示の種別を判定し、モニタ側とＳＴＢ側とで分担してＯＳＤを生成し表示を行う。その際、ＳＴＢ側で何らかのＯＳＤ表示を行っている場合は、モニタ側にＯＳＤ非表示とするためのコマンドを送信し、モニタ側で生成したＯＳＤの表示は行わないように連携して動作する。
【００２８】
図３は、ＯＳＤ表示の処理フローの第２の例（連携動作２）を示す図である。（ａ）はＳＴＢ側の処理、（ｂ）はモニタ側の処理を示す。全体の処理は図２で示した第１の例と共通であり、ここでは図２と相違する箇所を説明する。
【００２９】
（ｂ）のモニタ側の処理において、Ｓ３０６ではＳＴＢ１側からの表示状態通知を調べる。その際、ＳＴＢ側で表示しているＯＳＤの種類と表示位置についても調べる。ＳＴＢ側でＯＳＤを行っていない場合は、Ｓ３０７に進む。Ｓ３０７では、ＯＳＤ生成部２５は画面内の所定の位置（デフォルト位置）に音量ＯＳＤを生成する。
【００３０】
ＳＴＢ側で何らかのＯＳＤを表示している場合（Ｓ３０６でＹｅｓ）には、Ｓ３０８に進む。Ｓ３０８では、ＳＴＢ側で表示しているＯＳＤの種類と表示位置を考慮して、ＯＳＤ生成部２５はＳＴＢのＯＳＤに重ならない位置、または重ならないように形状を変えて音量ＯＳＤを生成する。ＯＳＤの表示位置は、ＯＳＤの表示内容（種類）に対応して例えばメインマイコン１２において予め定められているので、ＳＴＢ側で表示させているもしくは表示させようとするＯＳＤの種類に関する情報、または、そのＯＳＤの表示位置の情報をモニタ側に伝送する。これによりモニタ側のＯＳＤ生成部２５は、ＳＴＢから送信されたＳＴＢ側ＯＳＤの種類またはＯＳＤの表示位置に関する情報に基づき、そのＳＴＢ側ＯＳＤの表示位置と異なる表示位置に表示される（すなわち、両者のＯＳＤの表示領域が互いに重複しない）よう、モニタ側のＯＳＤを生成する。許容できるのであれば、両者のＯＳＤは若干重複するようにしてもよい。なお、ＳＴＢ側で表示しているＯＳＤが大画面を占めるような場合には、音量ＯＳＤの生成を中止する。
【００３１】
（ａ）のＳＴＢ側の処理において、Ｓ４０５ではＳＴＢのＯＳＤ表示状態をケーブル３を介してモニタ側へ通知する。その際、ＳＴＢ側で表示しているＯＳＤの種類と表示位置についても通知する。これは、２つのＯＳＤ表示の連携動作に用いるためである。
【００３２】
以上のように、ＳＴＢ側で何らかのＯＳＤ表示を行っている場合は、モニタ側では、ＳＴＢのＯＳＤに重ならない位置、または重ならないように形状を変えて音量ＯＳＤを生成するように連携して動作する。これにより、２つのＯＳＤ表示が重なることで、ユーザに不快感を与えることを防止できる。
【００３３】
図４と図５は、本実施例におけるＯＳＤ画面の一例を示す図である。
図４は、モニタ側のＯＳＤ表示機能で生成した音量調整ＯＳＤを表示した例である。画面５０内の例えば下側のデフォルト位置に、音量バー５１を表示している。ユーザがリモコンで音量Ｕｐ／Ｄｏｗｎ操作を行うと、この音量バー５１が迅速に表示される。
【００３４】
図５は、モニタ側で生成した音量調整ＯＳＤと、ＳＴＢ側で生成した映像設定用のＯＳＤを連携して同時に表示した例である。例えばユーザが画質調整を行っている途中で、音量を変更する操作を行った場合である。この場合、映像設定メニュー５２が画面の左側に表示されているため、音量バーを図４のデフォルト位置に表示すると、両者が重なってしまう。そこで、音量バー５１’を映像設定メニュー５２の表示領域を避けるように右側の領域に移動させ、サイズを縮小して表示している。これより、２つのＯＳＤ表示内容を損なうことなく同時に表示することができる。
【００３５】
上記実施例で述べたリモコンによる操作内容とそれのＯＳＤ表示内容は一例に過ぎず、各種の操作に対するＯＳＤ表示に適用できることは言うまでもない。そして、表示モニタとＳＴＢにおいて、ＯＳＤ表示機能をどのように分担させるかは、その操作内容に応じて適宜選択すれば良い。
【００３６】
上記実施例では、リモコンからの受光部は表示モニタ側に設けたが、ＳＴＢ側に設けても良い。そして、リモコンからの操作信号をＳＴＢ側で受信し、ＳＴＢ側のサブマイコン（コマンド処理部）がリモコン操作信号を判別して、双方のＯＳＤ表示機能を制御する。すなわちコマンドの種別によりＯＳＤ表示機能を分担させ、かつ連携させて動作させることができる。
【００３７】
また、ＳＴＢと表示モニタをケーブルにて接続する代わりに無線（ワイヤレス）にて接続し、両者の間で映像音声信号と制御信号を伝送するようにしても良い。ワイヤレスで制御信号を送受信する場合も、上述した実施例と同様な制御が行えることは言うまでもない。
【図面の簡単な説明】
【００３８】
【図１】本発明による映像受信表示システムの一実施例の構成を示すブロック図。
【図２】ＯＳＤ表示の処理フローの第１の例（連携動作１）を示す図。
【図３】ＯＳＤ表示の処理フローの第２の例（連携動作２）を示す図。
【図４】本実施例におけるＯＳＤ画面の一例を示す図。
【図５】本実施例におけるＯＳＤ画面の一例（連携動作）を示す図。
【符号の説明】
【００３９】
１…信号処理装置（ＳＴＢ）、２…表示モニタ、３…ケーブル、４…リモコン、１１…フロントエンド、１２…メインマイコン、１３…ＯＳＤ重畳部、１４…ＯＳＤ生成部、１５…サブマイコン、１６…コマンド処理部、２１…表示パネル、２２…スピーカ、２３…メインマイコン、２４…ＯＳＤ重畳部、２５…ＯＳＤ生成部、２６…サブマイコン、２７…コマンド処理部、２８…受光部、３１，３２…ＴＭＤＳライン、３３，３４…ＣＥＣライン。
【図１】
0005161551.tif 000002
【図２】
0005161551.tif 000003
【図３】
0005161551.tif 000004
【図４】
0005161551.tif 000005
【図５】
0005161551.tif 000006